(57)【要約】【課題】穀稈引起し装置の構成を簡単にし、藁屑類の引っ掛かりを少なくし、騒音を低くして耐久性を向上させる。【解決手段】引起しラグの退避案内部材を、肉厚の第１退避案内部と、下り傾斜姿勢で徐々に肉薄になる第２退避案内部と、下方に延びる肉薄の第３退避案内部により構成する。引起しチェンと第１退避案内部の間に、該チェン移動方向の上手側では狭く下手側では広くなる空間部を形成し、引起しチェンと第２・第３退避案内部の間に、該チェン移動方向の上手側では広く下手側では狭くなる空間部を形成する。【選択図】図４
2009017830.tif 000002
【特許請求の範囲】
【請求項１】
多数の引起しラグ（１４，…）を引起しチェン（１１）に軸着し、該引起しチェン（１１）を上部の複数のスプロケット（１３ａ，１３ｂ）と下部のローラ（１２）とにわたって巻き掛け、前記多数の引起しラグ（１４，…）をその移動軌跡の上端部付近で引起しケース（７ｃ）内に退避案内する退避案内部材（１７）を設け、該退避案内部材（１７）を正面視で引起しケース（７ｃ）の左右幅内に配置し、該退避案内部材（１７）を、前記上部の複数のスプロケット（１３ａ，１３ｂ）の上方に配置した肉厚の第１退避案内部（１７ａ）と、該第１退避案内部（１７ａ）の端部から引起しラグ（１４，…）の退避側に向けて下り傾斜姿勢で徐々に肉薄になる第２退避案内部（１７ｂ）と、該第２退避案内部（１７ｂ）の端部から下方に延びる肉薄の第３退避案内部（１７ｃ）により構成し、前記引起しチェン（１１）と前記第１退避案内部（１７ａ）との間に、該引起しチェン（１１）移動方向の上手側では狭く下手側では広くなる空間部を形成し、前記引起しチェン（１１）と第２退避案内部（１７ｂ）及び第３退避案内部（１７ｃ）との間に、該引起しチェン（１１）移動方向の上手側では広く下手側では狭くなる空間部を形成したことを特徴とする穀稈引起し装置。
【発明の詳細な説明】
【技術分野】
【０００１】
本発明は、コンバイン等の穀稈引起し装置に関するものである。
【背景技術】
【０００２】
穀稈引起し装置において、緩衝部材に、引起しラグを受け止める下向きの接触片をチェンの移動方向に沿って複数本並列形成し、左右の上部輪体に亘って張設されたチェンの引込み直線経路の延長線の近傍にチェン移動方向の最上手に位置する先頭接触片の先端を位置させ、引起しラグが引起し姿勢で上方に移動した後、チェンの前記引込み直線経路に沿った姿勢で先頭接触片の先端部に接触して引起しケースに引込み移動するように構成したものは公知である（特許文献１及び特許文献２）。
【特許文献１】特開２００６−４２７５２号公報
【特許文献２】実開昭６４−６８３５号公報
【発明の開示】
【発明が解決しようとする課題】
【０００３】
本発明は、穀稈引起し装置において、構成を簡単にしコストの低減を図りながら、藁屑類の引っ掛かりを少なくし、引起しラグの退避時の騒音を低くしようとするものである。
【課題を解決するための手段】
【０００４】
本発明は、多数の引起しラグ（１４，…）を引起しチェン（１１）に軸着し、該引起しチェン（１１）を上部の複数のスプロケット（１３ａ，１３ｂ）と下部のローラ（１２）とにわたって巻き掛け、前記多数の引起しラグ（１４，…）をその移動軌跡の上端部付近で引起しケース（７ｃ）内に退避案内する退避案内部材（１７）を設け、該退避案内部材（１７）を正面視で引起しケース（７ｃ）の左右幅内に配置し、該退避案内部材（１７）を、前記上部の複数のスプロケット（１３ａ，１３ｂ）の上方に配置した肉厚の第１退避案内部（１７ａ）と、該第１退避案内部（１７ａ）の端部から引起しラグ（１４，…）の退避側に向けて下り傾斜姿勢で徐々に肉薄になる第２退避案内部（１７ｂ）と、該第２退避案内部（１７ｂ）の端部から下方に延びる肉薄の第３退避案内部（１７ｃ）により構成し、前記引起しチェン（１１）と前記第１退避案内部（１７ａ）との間に、該引起しチェン（１１）移動方向の上手側では狭く下手側では広くなる空間部を形成し、前記引起しチェン（１１）と第２退避案内部（１７ｂ）及び第３退避案内部（１７ｃ）との間に、該引起しチェン（１１）移動方向の上手側では広く下手側では狭くなる空間部を形成したことを特徴とする穀稈引起し装置とする。
【発明の効果】
【０００５】
本発明によると、上部の複数のスプロケット１３ａ，１３ｂの上方に配置した肉厚の第１退避案内部１７ａと、該第１退避案内部１７ａの端部から引起しラグ１４，…の退避側に向けて下り傾斜姿勢で徐々に肉薄になる第２退避案内部１７ｂと、該第２退避案内部１７ｂの端部から下方に延びる肉薄の第３退避案内部１７ｃを連続的に構成しているので、構成が簡単でコストの低減を図りながら、藁屑類の引っ掛かりを少なくすることができる。また、引起しラグ１４，…は、引起しチェン１１と前記第１退避案内部１７ａとの間に形成した該引起しチェン１１移動方向の上手側では狭く下手側では広くなる空間部を通過しながら退避案内され、引起しチェン１１と第２退避案内部１７ｂ及び第３退避案内部１７ｃとの間に形成した該引起しチェン１１移動方向の上手側では広く下手側では狭くなる空間部を通過しながら退避案内されるので、衝突時の騒音を低く押さえることができ、引起しラグ１４，…の摩耗等を少なくして耐久性を向上させることができる。
【発明を実施するための最良の形態】
【０００６】
まず、図１乃至図３基づき本発明を具備するコンバインの全体構成について説明する。図１にはコンバインの全体側面図、図２には全体平面図、図３には正面図が図示されている。コンバイン１の走行車台２の下方には左右走行クローラ３，３を配設し、走行車台２上に脱穀部４を搭載し、走行車台２の前側部には刈取搬送部５を昇降自在に設けている。この刈取搬送部５は、複数の分草杆６，…、穀稈引起し装置７、刈刃装置８、穀稈搬送装置（図示省略）等により構成している。
【０００７】
前記構成により、コンバイン１の回転各部を駆動し走行し刈取作業を開始すると、走行クローラ３，３が回転して走行車台２は走行を開始し、圃場の穀稈は刈取搬送部５の前側部の分草杆６，…により穀稈条列毎に分草されながら穀稈引起し装置７，…に案内され、引起しラグ１４，…により引き起される。そして、引起しされた穀稈は刈刃装置８で刈り取られ、穀稈搬送装置（図示省略）により後方に搬送され、脱穀部４のフィードチエンに引き継がれる。
【０００８】
次に、図４乃至図６に基づき穀稈引起し装置７について説明する。穀稈引起し装置７は、引起しケースアッパ７ａと引起しケースロワー７ｂを接合固着し、引起しケース７ｃを構成しいる。この引起しケースロワー７ｂの上下部には、上部スプロケット（引起し側  スプロケット）１３ａ，上部スプロケット（退避側  スプロケット）１３ｂ及び下部ローラ（ローラ）１２を軸架し、これらのスプロケット１３ａ，１３ｂおよびローラ１２に、引起しラグ１４，…を所定間隔毎に枢支している引起しチェン１１を巻回している。
【０００９】
引起しケース７ｃの左右一側の引起し側には、引起しチェン１１の内側に沿うように上下方向に長い引起しガイドレール１５を設け、引起しケース７ｃの左右他側の退避側下部には、下部ローラ１２の上部近傍に起立ガイド片１６を設け、ケース上部には引起しラグ１４の退避案内用の退避ガイドレール（退避案内部材）１７を設けている。また、引起しラグ１４の左右基部を摺接案内する左右引起しガイドレール１８ａ，１８ａを、引起しガイドレール１５に対向して設け、下部スプロケット１２の下部周面に沿うように、引起しラグ１４の左右基部を摺接案内する左右下部起立ガイド１８ｂ，１８ｂを設けている。
【００１０】
前記構成によると、下側に回動した引起しラグ１４，…の左右基部摺動部１４ａ，１４ａが起立ガイド片１６に当接して、ケース下部で引起しラグ１４，…は起立し突出状態となり、下部スプロケット１２の下方を左右下部起立ガイド１８ｂ，１８ｂに沿って退避側から引起し側に向けて回動する。次いで、引起しラグ１４，…の左右基部摺動部１４ａ，１４ａが引起しガイドレール１５に当接支持され、起立状態を維持しながら上方に移動する。
【００１１】
そして、引起しラグ１４，…が引起しケース７ｃの上部に移動し、左右基部摺動部１４ａ，１４ａが引起しガイドレール１５の上側端部から解放されると、引起しラグ１４の先端部が退避ガイドレール１７に当接して退避回動しケース内に収納され、ケースの退避側では退避状態のまま下方に移動する。
【００１２】
次に、図６に基づき退避ガイドレール１７について更に具体的に説明する。
穀稈引起し装置７のフレーム部に引起し駆動パイプ２１を垂下状に支持し、引起し駆動パイプ２１の下端部に取り付けたブラケット２１ａに、引起し側軸２１ｂ，退避側軸２１ｃを介して上部スプロケット（引起し側）１３ａ，上部スプロケット（退避側）１３ｂを支架している。また、引起し駆動パイプ２１の上下中途部にブラケット２１ｄを取り付け、このブラケット２１ｄに引起し側ピン２２ａ，退避側ピン２２ｂを介して退避ガイドレール１７を取り付けている。しかして、退避ガイドレール１７は上部スプロケット（引起し側）１３ａ及び上部スプロケット（退避側）１３ｂに沿って回動する引起しチェン１１に対向配置されている。
【００１３】
また、この退避ガイドレール１７は正面視で引起しケース７ｃの左右幅内に収まるように構成されていて、引起し側の左右方向略水平状の肉厚の退避ガイドレール（引起し側  第１退避案内部）１７ａと、退避ガイドレール（引起し側）１７ａの退避側端部に接続されていて、下り傾斜で順次肉薄になりながら退避側に伸びる退避ガイドレール（中間  第２退避案内部）１７ｂと、退避ガイドレール（中間）１７ｂの退避端部に接続されていて、下方に伸びる肉薄の退避ガイドレール（退避側  第３退避案内部）１７ｃにより構成されている。そして、退避ガイドレール（引起し側）１７ａの左右両側部が内外ピン２２ａ，２２ｂによりブラケット２１ｄに支持されている。
【００１４】
そして、正面視で退避ガイドレール（引起し側）１７ａと上部スプロケット（引起し側）１３ａの間に巻き掛けた引起しチェン１１との間に空間部を介在させ、上部スプロケット（引起し側）１３ａより上部スプロケット（退避側）１３ｂを下方に配設して、退避側に下り傾斜で引起しチェン１１が移動し、退避ガイドレール（引起し側）１７ａを左右水平状に配設し、上手側の引起し側の空間部が上下幅狭で、下手側の退避側が上下幅広になるるように構成している。また、引起しラグ１４，…の左右幅と退避ガイドレール１７の幅とを略同じに構成し、引起しラグ１４の左右基部摺動部１４ａ，１４ａの幅よりも狭く構成している。
【００１５】
前記構成によると、退避ガイドレール１７を、退避ガイドレール（引起し側）１７ａ、退避ガイドレール（中間）１７ｂ及び退避ガイドレール（退避側）１７ｃとにより、引起しラグ１４の移動方向に沿った連続したシンプルな長手状に構成し、引起しラグ１４，…の穀稈引起し面の幅と退避ガイドレール１７の幅を略同じにして対向配置しているので、退避ガイドレール１７への藁屑類の引っ掛かりを少なくすることができる。
【００１６】
前記構成によると、上部スプロケット（引起し側）１３ａから上部スプロケット（退避側）１３ｂに向けて引起しラグ１４が退避回動する際に、退避ガイドレール（引起し側）１７ａの上手側から下手側に向けて順次広くなる空間部が形成されているので、引起しラグ１４と退避ガイドレール１７との衝突時の騒音を低く押さえることができる。
【００１７】
また、図６（Ｃ）に示すように、退避ガイドレール（引起し側）１７ａの下手側端部、及び、退避ガイドレール（中間）１７ｂの中途部を、ピン２２ａ，２２ｂにより接近した状態でブラケット２１ｄに支持すると、退避ガイドレール（引起し側）１７ａが引起しラグ１４に衝突した時にピン２２ａ回りに上側に回動し逃げることができ、衝撃を弱めながら前記効果を奏する。
【００１８】
また、退避ガイドレール１７を図７のように構成してもよい。退避ガイドレール１７を正面視で引起しケース７ｃの内外幅内に収まるように配設し、引起し側の左右方向略水平状態の肉厚の退避ガイドレール（引起し側）１７ａと、退避ガイドレール（引起し側）１７ａの下手側端部に接続されている下り傾斜で順次肉薄になりながら伸びる退避ガイドレール（中間）１７ｂと、退避ガイドレール（中間）１７ｂの下端部に接続されていて下方に伸びる肉薄状の退避ガイドレール（退避側）１７ｃと、退避ガイドレール（引起し側）１７ａの上手側端部に接続している退避案内ガイドレール（始端側）１７ｄとで構成する。そして、退避案内ガイドレール（始端側）１７ｄの上手側端部を引起し側に下り傾斜状で、肉厚が順次薄くなるように延出し、上部スプロケット（引起し側）１３ａに沿って回動する引起しチェン１１に対して、所定間隔隔てた上方に側に位置するように配設し、退避案内ガイドレール（始端側）１７ｄと引起しチェン１１との間隔を上手側で狭く下手側ほど順次広くなるように構成している。
【００１９】
前記構成によると、退避案内ガイドレール（始端側）１７ｄの肉厚の薄い上手側部により、引起しラグ１４が弾圧的に退避案内されながら退避ガイドレール（引起し側）１７ａ側に移行し、前記実施形態と同様の効果が期待できる。
【００２０】
また、図８のように構成してもよい。退避ガイドレール１７を正面視で引起しケース７ｃの左右幅内に収まるように配設し、引起し側の左右略水平状態の肉厚の退避ガイドレール（引起し側）１７ａと、退避ガイドレール（引起し側）１７ａの下手側端部に接続されている下り傾斜で順次肉薄になりながら伸びる退避ガイドレール（中間）１７ｂと、退避ガイドレール（中間）１７ｂの下端部に接続されていて下方に伸びる肉薄状の退避ガイドレール（退避側）１７ｃとにより構成する。そして、退避ガイドレール（引起し側）１７ａの下手側端部を単一のピン２２ｃにより押圧状態で支持している。
【００２１】
前記構成によると、退避ガイドレール（引起し側）１７ａの上手側端部に引起しラグ１４が衝突し退避案内する際に、退避ガイドレール（引起し側）１７ａの上手側がピン２２ｃ回りに上側に回動し逃げ、衝撃を弱めながら引起しラグ１４を退避案内することができ、前記効果を高めることができる。
【００２２】
また、図９のように構成してもよい。退避ガイドレール１７を正面視で引起しケース７ｃの内外幅内に収まるように配設し、引起し側から退避側に向けて順次上り傾斜状の肉厚の退避ガイドレール（引起し側）１７ａと、退避ガイドレール（引起し側）１７ａの下手側端部に接続されていて、下り傾斜で順次肉薄になりながら伸びる退避ガイドレール（中間）１７ｂと、退避ガイドレール（中間）１７ｂの下端部に接続されていて下方に伸びる肉薄状の退避ガイドレール（退避側）１７ｃとにより構成する。そして、退避ガイドレール（引起し側）１７ａの下手側端部を単一のピン２２ｃにより圧接状に支持している。
【００２３】
前記構成によると、退避ガイドレール（引起し側）１７ａの上手側端部上面に、引起しラグ１４の先端が衝突すると、退避ガイドレール（引起し側）１７ａの上手側はピン２２ｃ回りに下方に回動して逃げ、衝撃を弱めながら引起しラグ１４を退避案内することができ、前記効果を高めることができる。
【００２４】
次に、図１、図１０及び図１１に基づき刈刃装置８の駆動構成について説明する。
刈取搬送部５の後側部には、伝動装置の内装されている前後方向の後側ケース部３１ａと、左右方向の前側ケース部３１ｂからなる平面視Ｔ字型の刈取伝動ケース３１を設けている。前側ケース部３１ｂの左右両側部から正面視で門型の搬送伝動ケース３２を上方に延出し、この搬送伝動ケース３２の上側端部に前記穀稈引起し装置７の上部を支持している。また、搬送伝動ケース３２内の搬送伝動装置（図示省略）を経由して、穂先搬送装置（図示省略）及び根元搬送装置（図示省略）、並びに、穀稈引起し装置７に動力を伝達している。
【００２５】
また、刈取伝動ケース３１の前側ケース部３１ｂの左右両側部に、左右刈刃伝動ケース３３，３３を設け、左右刈刃伝動ケース３３，３３内の左右刈刃伝動軸３３ａ，３３ａから左右伝動ロッド３３ｂ，３３ｂ、左右揺動アーム３３ｃ，３３ｃを駆動するように構成している。
【００２６】
また、刈取伝動ケース３１の前側ケース部３１ａの左右両側部から左右刈刃フレーム３４，３４を前側に延出し、左右刈刃フレーム３４，３４の先端部に左右方向に沿うように設けている刈刃支持フレーム３５を設け、刈刃支持フレーム３５に連続した一枚状の下側刈刃８ａを固着し、この下側刈刃８ａの上側に左右に分割した左右上側刈刃８ｂ，８ｂを左右摺動自在に装着している。
【００２７】
また、左右上側刈刃８ｂ，８ｂのフレーム部に左右刈刃ヘッド３６，３６を取り付け、左右刈刃ヘッド３６，３６の後側部を後上り傾斜に後方に延出している。この後上り傾斜部の傾斜方向とＵ字状プレート３７，３７の長手方向とが、傾斜角度αを形成するように、Ｕ字状プレート３７，３７の前側Ｕ字型閉鎖部が下り緩傾斜に左右刈刃ヘッド３６，３６に取り付け、Ｕ字状プレート３７，３７を低く構成している。また、前記左右揺動アーム３３ｃ，３３ｃの下部に装着したベアリング３８，３８を、Ｕ字状プレート３７，３７に嵌合装着するにあたり、ベアリング３８，３８の軸心線に対して、Ｕ字状プレート３７，３７の長手方向直線を直交状態でなく、前下がり傾斜状態で嵌合装着し、ベアリング３８，３８とＵ字状プレート３７，３７との間に、下側ほど狭まった空間部を形成するように構成している。
【００２８】
前記構成によると、左右揺動アーム３３ｃ，３３ｃのベアリング３８，３８とＵ字状プレート３７，３７との間には、下側の狭まった空間部を形成でき、泥捌けがよくなり、刈刃装置８への泥の溜りを防止することができる。
【００２９】
次に、図１２乃至図１４により刈取搬送部５の作業灯５１の取付構成について説明する。
走行車台２の右側前部に設けた操縦部１０の左側方には、刈取搬送部５の穂先搬送装置５２ａ、根元搬送装置５２ｂを設け、これら搬送装置５２ａ，５２ｂの後方に脱穀部４を配設している。また、操縦部１０の左側部のサイド操作パネル１０ａと刈取搬送部５の穂先搬送装置５２ａ、根元搬送装置５２ｂとの間に、上下方向のパネルカバー５３を設け仕切っている。そして、パネルカバー５３の後側部と脱穀部４の前側壁面とで構成する角部を、搬送カバー５４で被覆し、穂先搬送装置５２ａ、根元搬送装置５２ｂの右側方を被覆している。
【００３０】
この搬送カバー５４の角部上方の操縦席１０ｃの左側方で、且つ、パネルカバー５３の上端部より上方に位置するように作業灯５１を配設し、ブラケット５５を介してパネルカバー５３に取り付け、作業灯５１の照射方向をパネルカバー５３の前後方向よりも右側の刈取搬送部５の穂先搬送装置５２ａ、根元搬送装置５２ｂに向けて照射するようにしている。
【００３１】
実開昭６１−７４３３２８号公報のものは、操縦部１０のパネルカバー５３の左側方に、刈取搬送部５の穂先搬送装置５２ａ及び根元搬送装置５２ｂを配設し、このパネルカバー５３の前側部から作業灯５１を後方に向けて照射するように構成している。しかし、このような構成であると、オペレータが搬送穀稈の脱穀部への引継ぎ部を確認する際に、作業灯５１からの光が目に入りまぶしくなるという不具合があった。
【００３２】
しかし、前記構成によると、操縦部１０のオペレータには作業灯５１からの光は目に入らず、まぶしくならずに穀稈の搬送引継ぎ具合を確認することができ、夜間の運転操作が容易になる。
【００３３】
また、操縦部１０のサイド操作パネル１０ａ上面には、スイッチや操作レバーを設け、サイド操作パネル１０ａの左側部をスイッチパネルカバー５３により被覆し、サイド操作パネル１０ａよりも上方位置に作業灯５１を配設している。従って、作業灯５１の背面に取り付けているＯＮ／ＯＦＦスイッチの操作や、作業灯５１の照射角度の調節を、サイド操作パネル１０ａが邪魔にならずに容易に行なうことができる。
【００３４】
また、図１５のように構成してもよい。パネルカバー５３の後側部と脱穀部４の前側壁面とで構成する角部に搬送カバー５４を設け、穂先搬送装置５２ａ及び根元搬送装置５２ｂの側方を被覆し、この搬送カバー５４の角部上方における操縦席１０ｃの左側方で、且つ、パネルカバー５３の上端部より上方部位に位置するように作業灯５１を配置し、ブラケット５５を介してパネルカバー５３に取り付ける。そして、前後方向のパネルカバー５３、及び、左右方向の脱穀部４の前側壁面に対して、作業灯５１の照射方向が略４５度になるようにし、刈取搬送部５全体を照射するようにする。
【００３５】
前記構成によると、単一の作業灯５１で、脱穀部４の前側壁面から前方のパネルカバー５３の全領域を照らすことができ、まぶしくならずに穀稈の搬送引継ぎ具合を確認することができ、夜間の運転操作が容易になる。
【００３６】
また、図１６のように構成してもよい。パネルカバー５３にブラケット５５を取り付け、ブラケット５５に作業灯５１を取り付けるにあたり、ブラケット５５の上部取付面５５ａに上下方向のボルト・ナット５６により作業灯５１を取り付ける。すると、ボルト・ナット５６を緩めるだけで、作業灯５１の照射角度を簡単に調整することができる。
【００３７】
また、図１７及び図１８のように構成してもよい。走行車台２の右側前部に設けた操縦部１０の左側方には、刈取搬送部５の穂先搬送装置５２ａ及び根元搬送装置５２ｂを設け、これら搬送装置５２ａ，５２ｂを逆Ｕ字型の搬送フレーム５２ｃで連結し、逆Ｕ字型の搬送フレーム５２ｃの下方を通して刈取穀稈を後方に搬送し、脱穀部４のフィードチェン４ａに引き継ぐように構成している。
【００３８】
また、パネルカバー５３にブラケット５５を介して作業灯５１を取り付けるにあたり、ブラケット５５の上部で、且つ、逆Ｕ字型の搬送フレーム５２ｃの上側端部と略同じ高さに取り付け、照射角度を側面視で緩い下り傾斜で且つ平面視で左側方に傾斜した状態とし、刈取搬送部５を照射するようにする。
【００３９】
前記構成によると、搬送装置５２ａ，５２ｂを連結する逆Ｕ字型の搬送フレーム５２ｃの上側部に向けて作業灯５２から照射しているので、穀稈の有無に関係なく、刈取搬送部５全体を照らすことができる。
【００４０】
次に、図１９乃至図２１に基づき前照灯５１の配置構成について説明する。
走行車台２の右側前部に操縦部１０を設け、この操縦部１０の左側にはサイド操作パネル１０ａを、前側にはフロント操作パネル１０ｂを設け、このサイド操作パネル１０ａの右側方及びフロント操作パネル１０ｂの前方に、刈取搬送部５を配設している。
【００４１】
そして、刈取搬送部５の穀稈引起し装置７のフレーム７ｆの左側上部に、左前照灯５７ａを取り付け、フロント操作パネル１０ｂの右側下部で、刈取搬送部５の右側端部より右側寄りに右前照灯５７ｂを配設し、前方に照射するように構成している。
【００４２】
前記構成によると、左右前照灯５７ａ，５７ｂを上下に高低差を持たせて配設しているので、左右前照灯５７ａ，５７ｂが上下の領域をカバーしながら、前方全体を広範囲に照らすことができる。
【００４３】
また、刈取搬送部５における穀稈引起し装置７のフレーム７ｆ左側上部に、左前照灯５７ａを取り付けるにあたり、左前照灯５７ａを上下方向の軸回りに回動調節自在に取り付けると、左前照灯５７ａを後方に向けて照射するように反転すると、刈取搬送部５の後部を照射することができ、穀稈搬送状態を確認することができる。
【００４４】
また、フロント操作パネル１０ｂに右前照灯５７ｂを取り付けるにあたり、フロント操作パネル１０ｂの右側部の上下方向中間部で、刈取搬送部５の右側端部より右側寄りに、右前照灯５７ｂを配設すると、右前照灯５７ｂにより操縦部１０の乗降部を照らすことができ、乗降が容易になる。
【００４５】
また、次のように構成してもよい。刈取搬送部５の穀稈引起し装置７のフレーム７ｆの左側上部に、左前照灯５７ａを取り付け、穀稈引起し装置７のフレーム７ｆの右側端部の上下方向中間部で、刈取搬送部５の右側端部よりも右側に突出する部位に、右前照灯５７ｂを配設する。
【００４６】
前記構成によると、刈取搬送部５を昇降させると、左右前照灯５７ａ，５７ｂの照射角度が上下に変化し、近くを照らしたり、遠くを照らしたるすることができる。
また、刈取搬送部５の左右両側部に左右前照灯５７ａ，５７ｂを取り付けるにあたり、左右前照灯５７ａ，５７ｂの取付幅が大きくなるように取り付け、且つ、正面視で機体幅内に収まるようにすると、障害物への干渉を回避しながら、前面を広く照らすことができ、運転が容易になる。
【００４７】
次に、図１及び図２に基づきエンジンの冷却風の排風構成について説明する。
操縦部１０の操縦席１０ｃの後方下部にエンジン（図示省略）を配設し、エンジンの上側部、前側部及び後側部をエンジンカバー（図示省略）で覆い、冷却ファン（図示省略）の冷却風をエンジンカバーにより機体右側から左側に流れるように案内し、脱穀部４の前側壁面の前方を通り、刈取搬送部５の後部に流れるように構成している。
【００４８】
また、図１及び図２に示すように、刈取搬送部５の後側部には、伝動装置の内装されている前後方向の後側ケース部３１ａと、左右方向の前側ケース部３１ｂからなる平面視Ｔ字型の刈取伝動ケース３１を設けている。この刈取伝動ケース３１の前側ケース部３１ｂの左右両側部から正面視で門型の搬送伝動ケース３２を上方に延出し、この搬送伝動ケース３２の上側端部に前記穀稈引起し装置７の上部を支持している。
【００４９】
また、門型の搬送伝動ケース３２の上部左右中間部から支持パイプ４１を後方に延出し、支持パイプ４１の上方に略水平状の熱風吹出し防止プレート４２を取り付け、この熱風吹出し防止プレート４１を操縦部１０の左側面を覆う前記パネルカバー５３の左側面上部に沿わせて延出し、更に、支持パイプ４１、熱風吹出し防止プレート４１、及び、刈取搬送部５の穂先搬送装置５２ａ、根元搬送装置５２ｂの後側部を覆うようにシート４２を設け、エンジンの熱風が操縦部１０に流れるのを防止している。
【００５０】
前記構成によると、エンジンからの熱風や、穂先搬送装置５２ａ、根元搬送装置５２ｂからの塵埃類が、熱風吹出しプレート４２及びシート４３により上方への移動が阻止され、操縦部１０に熱風や塵埃類の流れるのを防止することができる。
【図面の簡単な説明】
【００５１】
【図１】コンバインの全体側面図
【図２】コンバインの全体平面図
【図３】コンバインの正面図
【図４】穀稈引起し装置の一部省略した正面図
【図５】穀稈引起し装置の切断側面図
【図６】（Ａ）穀稈引起し装置の一部省略した正面図            （Ｂ）穀稈引起し装置の一部省略した側面図            （Ｃ）穀稈引起し装置の一部省略した正面図
【図７】穀稈引起し装置の一部省略した正面図、側面図
【図８】穀稈引起し装置の一部省略した正面図、側面図
【図９】穀稈引起し装置の一部省略した正面図、側面図
【図１０】刈刃装置の平面図
【図１１】刈刃装置の側面図、平面図
【図１２】コンバインの側面図
【図１３】コンバインの平面図
【図１４】コンバインの正面図
【図１５】コンバインの平面図
【図１６】コンバインの側面図
【図１７】コンバインの側面図
【図１８】コンバインの正面図
【図１９】コンバインの側面図
【図２０】コンバインの平面図
【図２１】コンバインの正面図
【符号の説明】
【００５２】
１      コンバイン
７      穀稈引起し装置
７ｃ    引起しケース
１１      引起しチェン
１２      下部ローラ（ローラ）
１３ａ    上部スプロケット（スプロケット）
１３ｂ    上部スプロケット（スプロケット）
１４      引起しラグ
１７      退避ガイドレール（退避案内部材）
１７ａ    退避ガイドレール（第１退避案内部）
１７ｂ    退避ガイドレール（第２退避案内部）
１７ｃ    退避ガイドレール（第３退避案内部）
【図１】
2009017830.tif 000003
【図２】
2009017830.tif 000004
【図３】
2009017830.tif 000005
【図４】
2009017830.tif 000006
【図５】
2009017830.tif 000007
【図６】
2009017830.tif 000008
【図７】
2009017830.tif 000009
【図８】
2009017830.tif 000010
【図９】
2009017830.tif 000011
【図１０】
2009017830.tif 000012
【図１１】
2009017830.tif 000013
【図１２】
2009017830.tif 000014
【図１３】
2009017830.tif 000015
【図１４】
2009017830.tif 000016
【図１５】
2009017830.tif 000017
【図１６】
2009017830.tif 000018
【図１７】
2009017830.tif 000019
【図１８】
2009017830.tif 000020
【図１９】
2009017830.tif 000021
【図２０】
2009017830.tif 000022
【図２１】
2009017830.tif 000023